(57)【要約】【課題】装置停止によるダウンタイムの発生を防ぎ、ジョブの実行を効率的に行うこと。【解決手段】用紙Ｐを格納する複数の給紙トレイ２２ａ〜２２ｆ及び当該給紙トレイ２２ａ〜２２ｆから給紙された用紙Ｐに画像形成を行う画像形成部２１を備える画像形成装置１において、情報を表示するＬＣＤ９１と、各給紙トレイ２２ａ〜２２ｆから画像形成部２１へ用紙Ｐを給紙する給紙タイミングを計算し、当該計算された給紙タイミングをＬＣＤ９１に表示させる制御部１１０と、を備える。【選択図】図１
2009113281.tif 000002
【特許請求の範囲】
【請求項１】
用紙を格納する複数の給紙トレイ部及び当該各給紙トレイから給紙された用紙に画像形成を行う画像形成部を備える画像形成装置において、
情報を表示する表示部と、
前記各給紙トレイから前記画像形成部へ前記用紙を給紙する給紙タイミングを計算し、当該計算された給紙タイミングを前記表示部に表示する制御部と、
を備える画像形成装置。
【請求項２】
前記給紙タイミングは、一の給紙トレイから次回給紙されるまでに要する他の給紙トレイから給紙される用紙の枚数の合計である請求項１に記載の画像形成装置。
【請求項３】
前記給紙タイミングは、一の給紙トレイから次回給紙されるまでに要する時間である請求項１に記載の画像形成装置。
【請求項４】
前記制御部は、
前記各給紙トレイに格納されている用紙の残量を前記表示部に表示する請求項１から３のいずれか一項に記載の画像形成装置。
【請求項５】
用紙を格納する複数の給紙トレイ及び当該各給紙トレイから給紙された用紙に画像形成を行う画像形成部を備える画像形成装置の画像形成方法において、
前記各給紙トレイから前記画像形成部へ前記用紙を給紙する給紙タイミングを計算し、当該計算された給紙タイミングを表示部に表示する制御工程を含む画像形成方法。
【請求項６】
前記給紙タイミングは、一の給紙トレイから次回給紙されるまでに要する他の給紙トレイから給紙される用紙の枚数の合計である請求項５に記載の画像形成方法。
【請求項７】
前記給紙タイミングは、一の給紙トレイから次回給紙されるまでに要する時間である請求項５に記載の画像形成方法。
【請求項８】
前記制御工程は、
前記各給紙トレイに格納されている用紙の残量を前記表示部に表示する請求項５から７のいずれか一項に記載の画像形成方法。
【発明の詳細な説明】
【技術分野】
【０００１】
本発明は、画像形成装置及び画像形成方法に関する
【背景技術】
【０００２】
従来、複写機等の画像形成装置において、プリントジョブ等のジョブを実行する際、用紙の情報（例えば、用紙の残量等）を表示する技術が知られている（例えば、特許文献１参照）。
【０００３】
図１６を参照して、プリントジョブを実行する際、用紙の情報を表示する画面例を説明する。図１６は、用紙の情報を表示する表示画面Ｇ７を示した図である。表示画面Ｇ７は、トレイ情報表示部Ｇ７１を含む。トレイ情報表示部Ｇ７１は、トレイに格納されている用紙の情報を表示する。トレイ情報表示部Ｇ７１は、トレイの場所を示すトレイ表示部Ｇ７２と、サイズ表示部Ｇ７３と、名称表示部Ｇ７４と、秤量表示部Ｇ７５と、用紙の色表示部Ｇ７６と、用紙の残量表示部Ｇ７７と、を有する。用紙の残量表示部Ｇ７７は、横線の数及び表示色により用紙残量を表示する。例えば、横線が１つで表示色が赤色の場合は用紙残量が２００枚以下、横線が１つで表示色が白色の場合は用紙残量が２０１枚〜５００枚以下、横線が２つで表示色が白色の場合は用紙残量が５０１枚〜１０００枚以下、横線が３つで表示色が白色の場合は用紙残量が１００１枚〜１５００枚以下、横線が４つで表示色が白色の場合は用紙残量が１５０１枚〜２０００枚以上となる。
【０００４】
図１７は、画像形成装置において、プリントジョブの設定情報を示した図である。処理順番１７Ａは、プリントジョブの処理順番を示す。部数番号１７Ｂは、用紙の部数番号を示す。ページ数１７Ｃは、原稿のページ数を示す。記録紙枚数１７Ｄは、用紙の枚数を示す。給紙トレイ１７Ｅは、給紙するトレイの場所を示す。その他の設定１７Ｆは、例えば、用紙に画像形成する種類（用紙の両面に画像形成する場合は「両面」、用紙の片面に画像形成する場合は「片面」等の情報）を示す。
【０００５】
例えば、いま、図１７に示すプリントジョブを実行するとする。この場合、トレイ１：２０枚、トレイ２：５枚、トレイ３：２０枚、トレイ４：１枚、トレイ５：１０枚の用紙に画像形成を複数回実行することになる。ここで、プリントジョブの実行中にトレイ２の用紙残量が少なくなったとする（図１６参照）。この場合、ユーザは、図１６に示す表示画面Ｇ７の用紙残量表示部Ｇ７７を参照することにより、トレイ２の用紙残量が少なくなったことを確認できる。これにより、ユーザはトレイ２以外のトレイから用紙が供給されている間に、トレイ２を引き抜いて用紙を補給することができる。
【特許文献１】特開２００４−３４８７１３号公報
【発明の開示】
【発明が解決しようとする課題】
【０００６】
しかしながら、上述の技術では、装置停止によるダウンタイム（装置を使用することのできない時間）の発生を防ぎ、ジョブの実行を効率的に行うことができなかった。
例えば、上記の技術の場合、ユーザがトレイ２の用紙補給を行っている間に、トレイ２の用紙の給紙順番が回ってくると、装置の動作が停止（装置停止）してしまう。また、ユーザがトレイ２の用紙補給を実行せずにプリントジョブの実行を継続した場合も、トレイ２の用紙がなくなり、装置停止してしまう。そうすると、装置停止によるダウンタイムが発生し、ジョブの実行に時間を要してしまうという問題があった。
【０００７】
本発明の課題は、装置停止によるダウンタイムの発生を防ぎ、ジョブの実行を効率的に行うことである。
【課題を解決するための手段】
【０００８】
上記課題を解決するため、請求項１に記載の発明の画像形成装置は、
用紙を格納する複数の給紙トレイ部及び当該各給紙トレイから給紙された用紙に画像形成を行う画像形成部を備える画像形成装置において、
情報を表示する表示部と、
前記各給紙トレイから前記画像形成部へ前記用紙を給紙する給紙タイミングを計算し、当該計算された給紙タイミングを前記表示部に表示する制御部と、を備える。
【０００９】
請求項２に記載の発明は、請求項１に記載の画像形成装置において、
前記給紙タイミングは、一の給紙トレイから次回給紙されるまでに要する他の給紙トレイから給紙される用紙の枚数の合計である。
【００１０】
請求項３に記載の発明は、請求項１に記載の画像形成装置において、
前記給紙タイミングは、一の給紙トレイから次回給紙されるまでに要する時間である。
【００１１】
請求項４に記載の発明は、請求項１から３のいずれか一項に記載の画像形成装置において、
前記制御部は、
前記各給紙トレイに格納されている用紙の残量を前記表示部に表示する。
【００１２】
請求項５に記載の発明の画像形成方法は、
用紙を格納する複数の給紙トレイ及び当該各給紙トレイから給紙された用紙に画像形成を行う画像形成部を備える画像形成装置の画像形成方法において、
前記各給紙トレイから前記画像形成部へ前記用紙を給紙する給紙タイミングを計算し、当該計算された給紙タイミングを表示部に表示する制御工程を含む。
【００１３】
請求項６に記載の発明は、請求項５に記載の画像形成方法において、
前記給紙タイミングは、一の給紙トレイから次回給紙されるまでに要する他の給紙トレイから給紙される用紙の枚数の合計である。
【００１４】
請求項７に記載の発明は、請求項５に記載の画像形成方法において、
前記給紙タイミングは、一の給紙トレイから次回給紙されるまでに要する時間である。
【００１５】
請求項８に記載の発明は、請求項５から７のいずれか一項に記載の画像形成方法において、
前記制御工程は、
前記各給紙トレイに格納されている用紙の残量を前記表示部に表示する。
【発明の効果】
【００１６】
請求項１、５に記載の発明によれば、各給紙トレイから画像形成部へ用紙を給紙する給紙タイミングを計算し、当該計算された給紙タイミングを表示部に表示する。これにより、ユーザは、給紙タイミングを参照して、適切なタイミングで用紙を補給することができるので、装置停止によるダウンタイムの発生を防ぎ、ジョブの実行を効率的に行うことができる。  
【００１７】
請求項２、６に記載の発明によれば、一の給紙トレイから次回給紙されるまでに要する他の給紙トレイから給紙される用紙の枚数の合計を表示部に表示することができる。
【００１８】
請求項３、７に記載の発明によれば、一の給紙トレイから次回給紙されるまでに要する時間を表示部に表示することができる。
【００１９】
請求項４、８に記載の発明によれば、用紙の残量を表示部に表示するので、ユーザは用紙の残量を把握することができる。
【発明を実施するための最良の形態】
【００２０】
以下、添付図面を参照して本発明に係る実施の形態を詳細に説明する。ただし、発明の範囲は図示例に限定されない。
【００２１】
先ず、図１及び図２を参照して、本実施の形態の装置構成を説明する。図１に、本実施の形態における画像形成装置１の概略構成図を示す。
画像形成装置１は、原稿から画像を読み取り、読み取った画像を処理対象紙としての紙等の用紙に画像形成するコピー機能や、パーソナルコンピュータ等から画像データを受信し、画像データが表す画像を用紙上に形成するプリンタ機能と、画像形成された用紙に対して、ステイプル処理、パンチ処理、折り処理、断裁処理等の後処理機能等を備えたデジタル複合機である。図１に示すように、画像形成装置１は、本体部２と、後処理部３と、を備えて構成される。
【００２２】
本体部２は、画像読取部１０と、プリント部２０と、を備えて構成される。
画像読取部１０は、ＡＤＦ（Auto Document Feeder）と称される自動原稿送り部１１と、読取部１２と、を備えて構成される。
自動原稿送り部１１の原稿トレイＴ１に載置された原稿ｄは、読取部１２の読取個所であるコンタクトガラスに搬送され、読取部１２の光学系により原稿ｄの片面又は両面の画像が読み取られ、ＣＣＤ（Charge Coupled Device）イメージセンサ１２ａにより原稿ｄ
の画像が読み取られる。ここで、画像とは、図形や写真等のイメージデータに限らず、文字や記号等のテキストデータ等も含む意である。
【００２３】
読取部１２により読み取られた画像（アナログ画像信号）は、後述する画像制御部に出力され、画像制御部においてＡ／Ｄ変換され各種画像処理が施された後、プリント部２０に出力される。
【００２４】
プリント部２０は、入力されたプリントデータに基づいて、電子写真方式の画像形成処理を行うものであり、画像形成部２１と、格納部２２と、給紙搬送部２３と、搬出部２４と、を備えて構成される。
【００２５】
画像形成部２１は、感光体ドラムと、帯電装置と、画像データを表すレーザ光を出力するレーザ出力部及びレーザ光を主走査方向に走査させるポリゴンミラーを有する露光装置と、現像装置と、転写装置２１ａと、クリーニング部と、定着部２１ｂと、を備えている。
具体的には、画像形成部２１は、帯電装置により帯電された感光体ドラムに露光装置でレーザ光を照射して静電潜像を形成する。そして、現像装置により静電潜像が形成された感光体ドラムの表面に帯電したトナーを付着させて静電潜像を現像する。現像装置により感光体ドラム上に形成されたトナー像は、転写装置において用紙Ｐに転写される。また、用紙Ｐにトナー像が転写された後、感光体ドラムの表面の残留電荷や残留トナー等は、クリーニング部により除去される。そして、定着部２１ｂにより、用紙Ｐに転写されたトナー像が熱定着される。定着処理された用紙Ｐは、搬出部２４の排紙ローラ２４ａに挟持されて搬出口２４ｂから後処理部３の受入口８０ａへ搬送される。
【００２６】
格納部２２は、複数の給紙トレイ２２ａ，２２ｂ，２２ｃ，２２ｄ，２２ｅ，２２ｆと、給紙部２２１ａ、２２１ｂ，２２１ｃ，２２１ｄ，２２１ｅ，２２１ｆと、を備えて構成される。それぞれの給紙トレイ及び給紙部は、同様の構成である。以下、給紙トレイ２２ａ、給紙部２２１ａを代表して説明する。給紙トレイ２２ａは、サイズや種類毎に予め識別された用紙Ｐが格納されており、給紙部２２１ａによって格納された用紙Ｐを最上部から一枚ずつ給紙搬送部２３に向けて給紙する。
【００２７】
給紙搬送部２３は、給紙トレイ２２ａに給紙された用紙Ｐを、複数の中間ローラ、レジストローラ等を経て転写装置２１ａへと給紙搬送する。また、給紙搬送部２３は、搬送路切換板２３ａにより、片面画像形成処理済みの用紙Ｐを自動両面給紙搬送路２３ｂに搬送し、再び中間ローラ、レジストローラを経て転写装置２１ａへと搬送する。
【００２８】
後処理部３は、本体部２により画像が形成された用紙Ｐを１部毎に集積し、１部毎にステイプル処理、折り処理、断裁処理等の後処理を行うフィニッシャーである。図１に示すように、後処理部３は、用紙Ｐが排出される複数の排出口として固定排紙トレイＴ３と、昇降排紙トレイＴ４と、表紙給紙部３０と、シフト処理部４０と、ステイプルユニット５０と、折りユニット６０と、を備えて構成される。
【００２９】
後処理部３は、本体部２から用紙Ｐが搬出される搬出口２４ｂの位置と合致するように受入口８０ａが設置されている。受入口８０ａから用紙Ｐの搬送方向下流の搬送経路は、第１搬送経路Ｒ１、第２搬送経路Ｒ２、第３搬送経路Ｒ３、第７搬送経路Ｒ７の４系統に分岐されており、第１、２、３の切換ゲート８１、８２、８４の占める角度の選択により用紙Ｐがいずれかの搬送経路に搬送される。
【００３０】
第１搬送経路Ｒ１は、本体部２から排出された画像形成済みの用紙Ｐに対してステイプル処理及びソート処理が行われない場合の用紙Ｐの搬送経路である。受入口８０ａに搬送された用紙Ｐは、第１の切換ゲート８１の右側の搬送路を通過し、搬送ローラに挟持されて上昇搬送され、排出ローラ８３ａに挟持されて固定排紙トレイＴ３上に排出される。
【００３１】
第２搬送経路Ｒ２は、本体部２から排出された画像形成済みの用紙Ｐに対してシフト処理が行われる場合又はソート処理が行われなくても大量に画像形成を行いたい場合の用紙Ｐの搬送経路である。受入口８０ａに搬送された用紙Ｐは、第１の切換ゲート８１の下方の搬送路を通過し、搬送ローラに挟持されてシフト処理部４０を経て排出ローラ８３ａｂ挟持されて、大量の記録媒体を収納可能な昇降排紙トレイＴ４上に排出される。
【００３２】
第３搬送経路Ｒ３は、本体部２から排出された画像形成済みの用紙Ｐに対してステイプル処理が行われる場合の用紙Ｐの搬送経路である。受入口８０ａに搬送された用紙Ｐは、第２の切換ゲート８２の下方の搬送路を通過し、搬送ローラに挟持されて傾斜配置された後述するスタック台５１に排出される。スタック台５１に排出された用紙Ｐは、ステイプラー５２近傍の可動ストッパ部材の突き当て面に用紙Ｐの搬送方向先端部が当接して停止される。この停止位置において、スタック台５１上に所定枚数の用紙Ｐが積載及び整合されると、ステイプラー５２によりステイプル処理が行われ、用紙Ｐの束が綴じ合わされる。用紙Ｐの束は、スタック台５１の載置面上を滑走して斜め上方に押し上げられ排出ローラ８３ｂに挟持されて、昇降排紙トレイＴ４上に排出される。
【００３３】
第７搬送経路Ｒ７は、ステイプルを実施しない折り処理を行う場合に使用される搬送経路であり、本体から排出された用紙Ｐは、受入口８０ａから第７搬送経路Ｒ７に搬送され、可動ストッパ部材６２の突き当て面で停止する。可動ストッパ部材６２上に所定枚数の用紙Ｐが積載及び整合されると、折りユニット６０によって各種の折り処理が行われ、断裁ユニット（図示省略）に搬送される。
【００３４】
表紙給紙部３０は、合紙や表紙用紙等を収容する表紙載置部３１と給紙ローラ３２とを備えている。表紙給紙部３０に収納されている合紙又は表紙用紙は、給紙ローラ３２により分離、給送され、複数の搬送ローラに挟持されて、スタック台５１へ搬送される。表紙載置部３１から給紙ローラ３２を経て第３搬送経路Ｒ３に至るまでを第４の搬送経路Ｒ４とする。
【００３５】
ステイプルユニット５０は、スタック台５１とステイプラー５２とを備え、本体部２内で画像形成処理されて後処理部３の受入口８０ａに搬送された用紙Ｐが複数の搬送ローラによってスタック台５１に搬送された用紙Ｐの束を幅整合し、ステイプルラー５２により綴じ針で綴じるステイプル処理を行う。ステイプル処理された用紙Ｐの束は、昇降排紙トレイＴ４又は第５搬送経路Ｒ５を経て折りユニット６０へ搬送される。
【００３６】
折りユニット６０は、スタック台６１と可動ストッパ部材６２とを備え、第５搬送経路Ｒ５又は第７搬送経路Ｒ７を経て複数の搬送ローラによって搬送された用紙Ｐに対して、中折り処理、３つ折り処理、Ｚ折り処理等の折り処理を行う。折り処理された用紙Ｐは、第６搬送経路Ｒ６を経て断裁ユニット（図示省略）へ搬送される。
【００３７】
次に、図２を参照して画像形成装置１の制御ブロック図を説明する。図２に示すように、画像形成装置１は、本体部２を制御する本体制御部２ａと、プリンタコントローラ１ｂと、本体部２に接続された後処理部３と、を備えて構成されている。本体部２は、プリンタコントローラ１ｂのＬＡＮＩＦ（Local Area Network InterFace）１４ｂを介して、ＬＡＮ上のユーザ端末ＰＣと相互に情報の送受信が可能に接続されている。
【００３８】
本体制御部２ａは、画像読取部１０と、プリント部２０と、操作表示部９０と、画像制御部１００と、を備えて構成される。なお、図１で説明した各部と同一の構成には、同一の符号を付してその説明を省略する。
【００３９】
画像制御部１００は、制御部としての制御部１１０と、不揮発メモリ１２０と、ＲＡＭ（Random Access Memory）１３０と、ＲＯＭ（Read  Only  Memory）１３１と、読込処理部１４０と、圧縮ＩＣ１５０と、ＤＲＡＭ（Dynamic Random Access Memory）制御ＩＣ１６０と、画像メモリ１７０と、伸張ＩＣ１８０と、書込処理部１９０と、を備えて構成される。
【００４０】
制御部１１０は、ＣＰＵ（Central Processing Unit）等から構成され、不揮発メモリ
１２０又はＲＯＭ１３１に格納されている各種処理プログラムに従って画像形成装置１の各部の動作を集中制御する。具体的には、制御部１１０は、不揮発メモリ１２０又はＲＯＭ１３１に記憶されているシステムプログラム及び各種アプリケーションプログラムの中から指定されたプログラムをＲＡＭ１３０に展開し、ＲＡＭ１３０に展開されたプログラムとＣＰＵとの協働で、各種処理を実行する。
【００４１】
制御部１１０は、プリンタプログラムとの協働により格納部２２から画像形成部２１へ用紙Ｐを給紙する給紙タイミングを計算し、当該計算された給紙タイミングをＬＣＤ９１に表示させる。
給紙タイミングとは、格納部２２の各給紙トレイ２２ａ〜２２ｆのうちの一の給紙トレイ、例えば、給紙トレイ２２ａから用紙Ｐが次回給紙されるまでに要する時間、又は他の給紙トレイ２２ｂ〜２２ｆから給紙される用紙Ｐの枚数の合計ことをいう。
【００４２】
不揮発メモリ１２０は、画像形成に係る各種処理プログラム及びデータ等を記憶する。
【００４３】
ＲＯＭ１３１は、情報の書き換え可能な記録媒体である。ＲＯＭ１３１は、例えば、後述するプリントプログラムを記憶する。
【００４４】
ＲＡＭ１３０は、制御部１１０により実行される各種プログラム及びこれらプログラムに係るデータを一時的に記憶するワークエリアを形成する。
また、ＲＡＭ１３０は、ジョブキューと、各登録ジョブを識別するためのジョブＩＤ、各種動作設定、画像データの記憶場所等からなるジョブデータと、各種ワークデータとを記憶する。なお、ジョブとは、画像形成装置１が行う画像形成処置及び後処理等に関する一連の動作を示す。例えば、複数枚の原稿ｄを用紙Ｐに画像形成する場合には、複数枚の画像形成に関する一連の動作が１ジョブであり、複数部数を画像形成する場合には、複数部数分の画像形成に関する一連の動作が１ジョブである。
【００４５】
図３に、ジョブデータの一例を示す。
図３に示すように、ジョブデータは、プリント条件と画像データとに基づいて、ページ共通のデータ（ＪＯＢデータ）と、ページ毎のデータ（ページデータ）とから構成されている。
【００４６】
ページ共通のデータであるＪＯＢデータは、ユーザ端末ＰＣ５００から入力されるデータや、後述する操作表示部９０から入力される操作信号に基づいた設定条件を含む。例えば、用紙Ｐの出力部数を示す設定部数、出力済みの部数がカウントされた値を示す出力済み部数、１部あたりのトレイから給紙した枚数を示す給紙枚数、画像形成処理又は後処理が行われた用紙Ｐが排出される排出トレイ、後処理の種類を示す各種後処理設定等である。
【００４７】
ページ別データは、出力されるプリントデータと使用される用紙Ｐとの向きの整合を図るため、プリントデータが回転される角度である出力時画像回転角度、ページ毎のプリントデータが格納されているアドレスを示す画像格納アドレスから構成される。
【００４８】
読込取処理部１４０は、画像読取部１０の読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００４９】
圧縮ＩＣ１５０は、入力されたデジタル画像データに圧縮処理を施して、当該画像データをＤＲＡＭ制御ＩＣ１６０に出力する。
【００５０】
ＤＲＡＭ制御ＩＣ１６０は、制御部１１０からの指示に従って、圧縮ＩＣ１５０によるデジタル画像データの圧縮処理及び伸張ＩＣ１８０による圧縮画像データの伸張処理を制御するとともに、画像メモリ１７０への画像データの入出力制御を行う。
例えば、画像読取部１０により読み取られたアナログ画像信号の保存が指示されると、読込処理部１４０から入力されたデジタル画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸張ＩＣ１８０により伸張処理を施してページメモリ（図示省略）に格納させる。さらに、ページメモリに格納された非圧縮画像データのプリント出力が指示されると、ページメモリから非圧縮画像データを読み出し、当該読み出した非圧縮画像データを書込処理部１９０に出力する。
【００５１】
画像メモリ１７０は、ＤＲＡＭ（Dynamic RAM）から構成される圧縮メモリ１７１を備える。圧縮メモリ１７１は、圧縮画像データを格納するためのメモリである。
【００５２】
伸張ＩＣ１８０は、入力される圧縮画像データに伸張処理を施す。
【００５３】
書込処理部１９０は、ＤＲＡＭ制御ＩＣ１６０から入力された非圧縮画像データに基づいて、画像形成のためのプリントデータを生成し、当該生成したプリントデータをプリント部２０に出力する。
【００５４】
画像読取部１０は、ＣＣＤ（Charge Coupled Devices）１２ａ、画像読取制御部２００、その他ここでは図示しないが図１に示した自動原稿送り部１１、読取部１２から構成される。画像読取制御部２００は、自動原稿送り部１１、読取部１２等を制御して、コンタクトガラスに載置された原稿面の露光走査を実行させ、光の反射光をＣＣＤ１２ａにより光電変換を行い、画像を読み取る。読み取られたアナログ画像信号は、画像制御部１００の読込処理部１４０に出力される。
【００５５】
操作表示部９０は、表示部としてのＬＣＤ（Liquid Crystal Display）９１、操作表示制御部９００、その他図示しない操作キー群から構成される。ＬＣＤ９１上には、ＬＣＤ９１を覆うようにタッチパネルが設けられており、操作表示制御部９００は、制御部１１０から入力される表示信号に従って、プリント条件を入力するための基本画面や、各種処理結果等をＬＣＤ９１に表示させる。また、操作表示制御部９００は、操作キー群又はタッチパネルから入力される操作信号を制御部１１０に出力する。
【００５６】
プリント部２０は、図１に示した画像形成部２１等のプリント出力に係る各部やプリント制御部３００を備えて構成される。プリント制御部３００は、制御部１１０からの指示に従って画像形成部２１等のプリント部２０の各部の動作を制御し、書込処理部１９０から入力された画像データに基づいて用紙Ｐに画像形成を行わせると共に、制御部１１０からの指示に従って後処理部３の各部を動作させる指示信号を後処理制御部４００に出力する。
【００５７】
次に、プリンタコントローラ１ｂの各部について説明する。
プリンタコントローラ１ｂは、コントローラ制御部１１ｂ、ＤＲＡＭ制御ＩＣ１２ｂ、画像メモリ１３ｂ、ＬＡＮＩＦ１４ｂから構成される。
【００５８】
コントローラ制御部１１ｂは、各部の動作を統括的に制御し、ＬＡＮＩＦ１４ｂを介して、ユーザ端末ＰＣ５００から入力される出力データをジョブとして本体制御部２ａへ配信する機能を実現する。
【００５９】
ＤＲＡＭ制御ＩＣ１２ｂは、ＬＡＮＩＦ１４ｂにより受信された出力データの画像メモリ１３ｂへの格納や、画像メモリ１３ｂからの出力データの読み出しを制御する。また、ＤＲＡＭ制御ＩＣ１２ｂは、画像制御部１００のＤＲＡＭ制御ＩＣ１６０とＰＣＩ（Peripheral Components Interconnect）バスで接続されており、コントローラ制御部１１ｂからの指示に従って、プリント対象の出力データを画像メモリ１３ｂから読み出してＤＲＡＭ制御ＩＣ１６０に出力する。
【００６０】
画像メモリ１３ｂは、ＤＲＡＭから構成され、入力された出力データを一時的に格納する。
【００６１】
ＬＡＮＩＦ１４ｂは、ＮＩＣ（Network Interface Card）やモデム等のＬＡＮに接続するための通信インターフェイスであり、ユーザ端末ＰＣからＬＡＮを介して、印刷対象の出力データを受信する。受信された出力データは、ＤＲＡＭ制御ＩＣ１２ｂに出力される。
【００６２】
後処理部３は、ステイプルユニット５０、折りユニット６０、断裁ユニット（図示省略）、各種後処理ユニットへ用紙Ｐを搬送する搬送ローラ等の搬送手段８０が設けられており、各部は後処理制御部４００により統括的に制御されている。
【００６３】
後処理制御部４００は、制御部１１０からプリント制御部３００を介して入力される後処理の指示信号に応じて、用紙Ｐを搬送経路に沿って所定の後処理ユニットに搬送し、各部を駆動制御して用紙Ｐに所定の後処理を行わせ、所定の排出トレイに排出する制御を行う。
【００６４】
ＰＣ５００は、ユーザ端末装置である。ＰＣ５００は、表示部５０１を備える。表示部５０１は、ＬＣＤ、ＣＲＴ（Cathode Ray Tube）等で構成される。
【００６５】
次に、図４〜図９を参照して、ＰＣ５００からプリントジョブを実行する際の手順について説明する。プリントジョブとは、ＰＣ５００で作成された原稿を用紙に画像形成するジョブのことをいう。図４に表示画面Ｇ１を示す。表示画面Ｇ１は、原稿のプリントジョブを実行する際に、ＰＣ５００の表示部５０１に表示される画面である。表示画面Ｇ１は、プリンタ設定部Ｇ１１と、部数設定部Ｇ１２と、ページ設定部Ｇ１３と、各種ボタンＧ１４と、を有する。表示画面Ｇ１において、ＰＣ５００の操作部（図示省略）を介して、選択された画像形成装置１、用紙Ｐの部数、用紙Ｐのページ数がそれぞれ、プリンタ設定部Ｇ１１、部数設定部Ｇ１２、ページ設定部Ｇ１３に入力される。そして、各種ボタンＧ１４のうちのＯＫボタンが押下されると、図５に示す表示画面Ｇ２が表示部５０１に表示される。
【００６６】
表示画面Ｇ２は、プリントジョブの各種設定を行う際に表示部５０１に表示される画面である。表示画面Ｇ２は、用紙設定部Ｇ２１と、画像形成設定部Ｇ２２と、製本設定部Ｇ２３と、を有する。表示画面Ｇ２において、操作部を介して、用紙Ｐの方向等、画像形成する方法等、製本の方法等がそれぞれ、用紙設定部Ｇ２１、画像形成設定部Ｇ２２、製本設定部Ｇ２３に入力される。そして、表示画面Ｇ２において、操作部を介してページ単位設定ボタンＧ２４が押下されると、図６に示す表示画面Ｇ３が表示部に表示される。
【００６７】
表示画面Ｇ３は、用紙Ｐをページ単位で設定する際、表示部５０１に表示される画面である。表示画面Ｇ３は、表示設定部Ｇ３１と、ページ単位設定部Ｇ３２と、を有する。表示画面Ｇ３において、操作部を介して、用紙Ｐの表示（又は裏表紙）の設定、ページ単位の設定を行うジョブのリスト名がそれぞれ、表示設定部Ｇ３１、ページ単位設定部Ｇ３２に入力される。ページ単位設定部Ｇ３２のページ単位設定のチェックボックスＧ３２１がチェックされ、追加ボタンＧ３２２が押下されると、図７に示す表示画面Ｇ４が表示部５０１に表示される。
【００６８】
表示画面Ｇ４は、ページ単位の詳細設定をする際、表示部５０１に表示される画面である。表示画面Ｇ４は、ページ番号設定部Ｇ４１と、種類設定部Ｇ４２と、給紙トレイ設定部Ｇ４３と、ステイプル設定部Ｇ４４と、パンチ設定部Ｇ４５と、各種ボタンＧ４６と、を有する。表示画面Ｇ４において、操作部を介して、画像形成するページ番号、用紙に画像形成する種類、使用するトレイ、ステイプル処理の設定、パンチ処理の設定がそれぞれ、ページ番号設定部Ｇ４１、種類設定部Ｇ４２、給紙トレイ設定部Ｇ４３、ステイプル設定部Ｇ４４、パンチ設定部Ｇ４５に入力される。用紙に画像形成する種類としては、用紙の両面に画像形成する場合は「両面印刷」、用紙の片面に画像形成する場合は「片面印刷」、白紙を挿入する場合は「白紙挿入」が選択入力される。また、ステイプル処理の設定又はパンチ処理の設定において、ページ全体の設定に合わせる場合は、「本文と同じ」が選択入力される。また、ページ単位（例えば、１〜４０ページ）の設定を行う場合は、ページ（例えば、「１〜４０」）が選択入力される。各設定が終了し、各種ボタンＧ４６のうちのＯＫボタンが押下されると、図８に示す表示画面Ｇ５が表示部５０１に表示される。
【００６９】
表示画面Ｇ５は、ページ単位設定の内容を表示する画面である。表示画面Ｇ５は、ページ単位設定表示部Ｇ５１を有する。ページ単位設定表示部Ｇ５１は、表示画面Ｇ４で設定されたページ単位設定の内容を表示する。ここで、ページ単位設定の例を図９に示す。「設定Ｎｏ」９１Ａは、設定番号を示す。「ページ番号」９１Ｂは、設定されたページの番号を示す。「印刷種類」９１Ｃは、用紙に画像形成する種類を示す。「給紙トレイ」９１Ｄは、使用するトレイを示す。「ステイプル」９１Ｅは、ステイプル処理の設定内容を示す。「パンチ」９１Ｆはパンチ処理の設定内容を示す。
【００７０】
表示画面Ｇ５が表示部５０１に表示された後、ユーザは、操作部を介してプリントジョブの実行指示を入力する。入力されたプリントジョブの実行指示は、プリンタコントローラ１ｂを介して画像形成装置１に受信される。そして、画像形成装置１は、プリントジョブの実行を開始する。プリントジョブの実行が開始されると、図１０に示す表示画面Ｇ６がＬＣＤ９１に表示される。
【００７１】
表示画面Ｇ６は、プリントジョブの実行中にＬＣＤ９１に表示される画面である。表示画面Ｇ６は、トレイ情報表示部Ｇ６１を有する。トレイ情報表示部Ｇ６１は、トレイ表示部Ｇ６２と、サイズ表示部Ｇ６３と、名称表示部Ｇ６４と、秤量表示部Ｇ６５と、色表示部Ｇ６６と、給紙表示部Ｇ６７と、残量表示部Ｇ６８と、を有する。トレイ表示部Ｇ６２は、トレイに格納されている用紙Ｐの情報を表示する。サイズ表示部Ｇ６３は、用紙Ｐのサイズを表示する。名称表示部Ｇ６４は、用紙Ｐの名称を表示する。秤量表示部Ｇ６５は、用紙Ｐの秤量を表示する。色表示部Ｇ６６は、用紙Ｐに画像形成する色を表示する。給紙表示部Ｇ６７は、給紙タイミングを表示する。残量表示部Ｇ６８は、用紙Ｐの残量を表示する。具体的には、残量表示部Ｇ６８は、表示色及び横線の数により用紙Ｐの残量を表示する。例えば、横線が１つで表示色が赤色の場合は、用紙残量が２００枚以下、横線が１つで表示色が白色の場合は、用紙残量が２０１枚〜５００枚以下、横線が２つの場合は、用紙残量が５０１枚〜１０００枚以下、横線が３つの場合は、用紙残量が１００１枚〜１５００枚以下、横線が４つの場合は、１５０１枚〜２０００枚以上となる。
【００７２】
ここで、図９に示す条件でページ単位設定されたプリントジョブが実行されている際に、給紙表示部Ｇ６７に表示される給紙タイミングの例を説明する。以下、トレイ１は給紙トレイ２２ａ、トレイ２は給紙トレイ２２ｂ、トレイ３は給紙トレイ２２ｃ、トレイ４は、給紙トレイ２２ｄ、トレイ５は、給紙トレイ２２ｅにそれぞれ該当するものとして説明する。
【００７３】
図９のページ単位設定がされている場合、トレイ１から給紙される用紙Ｐは２０枚、トレイ２から給紙される用紙Ｐは５枚、トレイ３から給紙される用紙Ｐは２０枚、トレイ４から給紙される用紙Ｐは１枚、トレイ５から給紙される用紙Ｐは５枚となる。すなわち、全てのトレイ（トレイ１〜トレイ５）から供給される用紙Ｐの合計枚数は５６枚となる。
この条件で、トレイ１から用紙Ｐの給紙が開始されたとする。この場合、トレイ１の給紙表示部Ｇ６７には「給紙中」と表示される。トレイ２の給紙表示部Ｇ６７には、トレイ２から用紙Ｐの給紙が開始されるまでの用紙Ｐの枚数「２０」（すなわち、トレイ１から給紙される用紙Ｐの枚数）が表示される。トレイ３の給紙表示部Ｇ６７には、トレイ３から用給紙が開始されるまでの用紙の枚数「２５」（すなわち、トレイ１から給紙される用紙Ｐの枚数＋トレイ２から給紙される用紙Ｐの枚数）が表示される。トレイ４の給紙表示部Ｇ６７には、トレイ４から用紙Ｐの給紙が開始されるまでの用紙Ｐの枚数「４５」（すなわち、トレイ１から給紙される用紙の枚数＋トレイ２から給紙される用紙Ｐの枚数＋トレイ３から給紙される用紙の枚数）が表示される。トレイ５のトレイ表示部Ｇ６７には、トレイ５から給紙が開始されるまでの用紙Ｐの枚数「４６」（すなわち、トレイ１から給紙される用紙Ｐの枚数＋トレイ２から給紙される用紙Ｐの枚数＋トレイ３から給紙される用紙Ｐの枚数＋トレイ４から給紙される用紙Ｐの枚数）が表示される。各トレイの給紙表示部Ｇ６７の数値は、トレイ１から１枚用紙が給紙される度に、１枚ずつ減算される。
【００７４】
次に、図１１及び図１２を参照して、給紙表示部Ｇ６７に表示される情報について詳細に説明する。図１１及び図１２は、図９に示すページ単位設定において、プリントジョブの情報及び給紙表示部Ｇ６７に表示される情報を示した図である。処理順番１１１Ａは、プリントジョブの処理順番を示す。部数番号１１１Ｂは、用紙の部数番号を示す。ページ数１１１Ｃは、原稿のページ数を示す。用紙枚数１１１Ｄは、用紙Ｐの枚数を示す。給紙トレイ１１１Ｅは、給紙するトレイの場所を示す。その他の設定１１１Ｆは、例えば、用紙に画像形成する種類（用紙の両面に画像形成する場合は「両面」、用紙の片面に画像形成する場合は「片面」、片面の白紙を挿入する場合は「白紙挿入（片面）」）を示す。給紙までの枚数表示１１１Ｇは、各トレイ（トレイ１〜５）に給紙の順番が回ってきたとき、給紙表示部Ｇ６７に表示される用紙Ｐの枚数を示す。
【００７５】
以下、各トレイの給紙表示部Ｇ６７に表示される情報のうち、トレイ２の給紙表示部Ｇ６７に表示される情報を代表して説明する。先ず、処理順番１１１Ａ「１」でトレイ１から給紙が開始されるとき、トレイ２の給紙表示部Ｇ６７に表示される情報は、「２０」となる。そして、処理順番１１１Ａ「１」の処理が実行されるにしたがって、トレイ２の給紙表示部Ｇ６７に表示される情報は、「１９→１８→・・・→２→１」と遷移する。トレイ２の給紙表示部Ｇ６７に「１」と表示された場合、処理順番１１１Ａ「１」の処理は最後となる。そして、処理順番１１１Ａ「２」の処理が開始される。この場合、トレイ２の給紙表示Ｇ６７に「給紙中」と表示される。そして、処理順番１１１Ａ「２」の処理が終了し、処理順番１１１Ａ「３」の処理が開始される。処理順番１１１Ａ「３」でトレイ３から給紙が開始されるとき、トレイ２の給紙表示部Ｇ６７に「５１」と表示される。そして、処理順番１１１Ａ「３」の処理が実行されるにしたがって、トレイ２の給紙表示部Ｇ６７に表示される情報は、「５１→５０→・・・→３２」と遷移する。トレイ２の給紙表示部Ｇ６７に「３２」と表示された場合、処理順番１１１Ａ「３」の処理が最後となる。そして、処理順番１１１Ａ「４」の処理が開始される。この場合、トレイ２の給紙表示部Ｇ６７に「３１」と表示される。処理順番１１１Ａ「４」では、トレイ４から用紙Ｐを１枚給紙するだけである。したがって、トレイ２の給紙表示部Ｇ６７に「３１」と表示されると、処理順番１１１Ａ「４」の処理が最後となる。そして、処理順番１１Ａ「５」の処理が開始される。この場合、トレイ２の給紙表示部Ｇ６７に「３０」と表示される。そして、処理順番１１１Ａ「５」の処理が実行されるにしたがって、トレイ２の給紙表示部Ｇ６７に表示される情報は、「３０→２９→・・・→２１」と遷移する。トレイ２の給紙表示部Ｇ６７に「２１」と表示された場合、処理順番１１１Ａ「５」の処理は最後となる。そして、処理順番１１１Ａ「６」の処理が開始される。以下、同様の処理が繰り返される。
【００７６】
したがって、ユーザは、トレイ２の用紙Ｐの残量が少ないことを確認し、トレイ２の用紙Ｐの継ぎ足しを行いたい場合は、トレイ２の給紙表示部Ｇ６７に表示される情報を確認すればよい。例えば、処理順番１１１Ａ「３」の実行中は、トレイ２の給紙表示部Ｇ６７には、「５１→５０・・・」と用紙Ｐの枚数が表示される。このとき、トレイ２を引き抜いて、用紙補給を行えば、余裕を持って用紙補給を行うことができる。
【００７７】
また、図１０〜図１２の説明において給紙表示部Ｇ６７は、次回給紙タイミングを給紙枚数で表示することとしているが、給紙までに要する時間を表示することとしてもよい。例えば、用紙Ｐの片面に画像形成する場合、１枚の給紙をするのに０．５秒、用紙Ｐの両面に画像形成する場合、１秒かかるとする。この場合、トレイ１は２０枚×１秒＝２０秒、トレイ３は、２０枚×０．５秒＝１０秒、トレイ４は、１枚×０．５秒＝０．５秒、トレイ５は、１０枚×１秒＝１０秒となる。これらの時間を各トレイの給紙表示部Ｇ６７に表示することとしてもよい。この場合、例えば、ユーザがトレイ２を引き抜いて用紙補給を行う際は、最大４０．５秒の余裕があることを把握した上で用紙Ｐの補給作業を行うことができる。
【００７８】
次に、図１３を参照して、画像形成装置１で実行されるプリント処理について説明する。例えば、画像形成装置１において、プリンタコントローラ１ｂ等を介してＰＣ５００からプリントジョブの実行指示を受信開始したことをトリガとして、ＲＯＭ１３１又は不揮発メモリ１２０から読み出されて適宜ＲＡＭ１３０に展開されたプリントプログラムと、制御部１１０のＣＰＵとの協働によりプリント処理が実行される。  
【００７９】
予め、ＰＣ５００でページ単位設定が行われており、ページ単位設定された条件（図９に示す条件）のプリントジョブが実行されるものとして以下、説明する。
【００８０】
先ず、各トレイの給紙までの枚数が計算される（ステップＳ１１）。具体的には、ＲＡＭ１３０に記憶されているジョブ（予約ジョブも含めた全てのジョブ）がチェックされ、各トレイの給紙までの枚数が計算される。そして、計算された枚数がＬＣＤ９１に表示される（ステップＳ１２）。例えば、図１０に示す表示画面Ｇ６１の給紙表示部Ｇ６７がＬＣＤ９１に表示される。
【００８１】
そして、給紙要求が発行される（ステップＳ１３）。給紙要求とは、指定したトレイから用紙を給紙する要求のことをいう。具体的には、本ステップは、指定したトレイから用紙を給紙する要求がプリント制御部３００に対して発行される。この場合、プリント制御部３００は給紙要求を受信すると、指定されたトレイから用紙を給紙させる。そして、プリント制御部３００は、給紙が完了した後に、制御部１１０に給紙完了を通知する。
【００８２】
そして、プリント制御部３００から給紙完了が受信されたか否かが判別される（ステップＳ１４）。給紙完了が受信されていないと判別された場合（ステップＳ１４；ＮＯ）、ステップＳ１４に移行される。給紙完了が受信されたと判別された場合（ステップＳ１４；ＹＥＳ）、各トレイの給紙までの枚数が計算される（ステップＳ１５）。本ステップでは、例えば、新しいジョブがＲＡＭ１３０に登録されている場合は、新しいジョブを含めた枚数が再計算される。
【００８３】
ステップＳ１５の実行後、枚数表示が更新される（ステップＳ１６）。例えば、ステップＳ１５において、新しいジョブを含めた枚数が再計算された場合は、再計算された枚数がＬＣＤ９１に表示される。そして、全ジョブの画像形成処理が完了したか否かが判別される（ステップＳ１７）。すなわち、ＲＡＭ１３０が参照され、ＲＡＭ１３０に記憶されている全てのジョブの画像形成処理が完了したか否かが判別される。全ジョブの画像形成処理が完了していないと判別された場合（ステップＳ１７；ＮＯ）、ステップＳ１３に移行される。全ジョブの画像形成処理が完了したと判別された場合（ステップＳ１７；ＹＥＳ）、プリント処理は終了される。
【００８４】
次に、図１４を参照して、プリント処理のステップＳ１１又はＳ１５で実行される各トレイの給紙までの枚数計算処理について説明する。
先ず、トレイ１給紙までの枚数計算が実行される（ステップＳ２１）。そして、トレイ２給紙までの枚数計算が実行される（ステップＳ２２）。そして、トレイ３給紙までの枚数計算が実行される（ステップＳ２３）。そして、トレイ４給紙までの枚数計算が実行される（ステップＳ２４）。そして、トレイ５給紙までの枚数計算が実行される（ステップＳ２５）。ステップＳ２５の実行後、ステップＳ１２又はＳ１６に移行される。
【００８５】
次に、図１５を参照して、ステップＳ２１〜ステップＳ２５で実行されるトレイｎ給紙までの枚数計算処理について説明する。ｎは、トレイの番号であり、１〜５に該当する。
トレイｎ給紙までの枚数計算処理は、ｎ＝「１」、「２」、・・・「５」の順番で実行される。
【００８６】
先ず、「トレイｎ状態」が「計算未完了」に設定される。また、「トレイｎ枚数」が「０」に設定される。また、「チェック中の紙」が「未給紙の先頭紙」に設定される（ステップＳ３１）。トレイｎ状態とは、トレイｎの枚数計算が完了したか否かを示す情報である。トレイｎ枚数とは、トレイｎの給紙までの枚数を示す情報である。チェック中の紙とは、各トレイに格納されている用紙のうち、どのトレイに格納されている用紙をチェック（参照）しているかを示す情報である。「未給紙の先頭紙」とは、これから給紙する先頭の用紙を示す。
【００８７】
トレイｎ給紙までの枚数計算処理は、先ず、「トレイ１」の枚数計算処理が実行される。したがって、ｎ＝１となる。すなわち、「トレイ１状態」が「計算未完了」に設定される。また、「トレイ１枚数」が「０」に設定される。また、「チェック中の紙」における「未給紙の先頭紙（すなわち、トレイ１の先頭紙）」に設定される。
【００８８】
ステップＳ３１の実行後、「チェック中の紙」はトレイ１であるか否かが判別される（ステップＳ３２）。すなわち、「チェック中の紙」がトレイ１に格納されている用紙であるか否かが判別される。「チェック中の紙」がトレイ１であると判別された場合（ステップＳ３２；ＹＥＳ）、「トレイｎ状態」は「計算完了」に設定される（ステップＳ３３）。
【００８９】
トレイ１の給紙までの枚数計算処理では、ステップＳ３２は、トレイ１に格納されている用紙がチェックされる。すなわち、「チェック中の紙」はトレイ１に格納されている用紙と判別され、ステップＳ３２；ＹＥＳとなる。そして、ステップＳ３３で説明したように、「トレイ１状態」が「計算完了」に設定される。
【００９０】
ステップＳ３３の実行後、「トレイｎ枚数」＝「０」であるか否かが判別される（ステップＳ３４）。すなわち、「トレイｎ枚数」が参照され、「トレイ１枚数」＝「０」であるか否かが判別される。「トレイｎ枚数」＝「０」であると判別された場合（ステップＳ３４；ＹＥＳ）、「トレイｎ枚数」＝「給紙中」に設定される（ステップＳ３５）。すなわち、「トレイ１枚数」＝「給紙中」に設定される。この場合、トレイ１からの給紙までの用紙の枚数は０であるので、トレイ１の先頭紙から給紙される。ステップＳ３４において、「トレイｎ枚数」＝「０」でないと判別された場合（ステップＳ３４；ＮＯ）、後述するステップＳ３９に移行される。
【００９１】
ステップＳ３２において、「チェック中の紙」がトレイ１でないと判別された場合（ステップＳ３２；ＮＯ）、「トレイｎ枚数」に＋１される（ステップＳ３６）。「チェック中の紙」がトレイ１でないと判別される場合は、「チェック中の紙」がトレイ２〜トレイ５に格納されている用紙の場合である。例えば、チェック中の紙がトレイ２に格納されている用紙の場合、ステップＳ３６は、トレイ１枚数に＋１されることとなる。
【００９２】
そして、ＲＡＭ１３０に記憶されているジョブデータが参照され、次に給紙する紙があるか否かが判別される（ステップＳ３７）。ここで、「チェック中の紙」の次に給紙すべき用紙がジョブデータ内にあるかをチェックする。次に給紙すべき用紙がある場合、ステップＳ３７；ＹＥＳとなる。
【００９３】
ステップＳ３７において、次に給紙する紙があると判別された場合（ステップＳ３７；ＹＥＳ）、「チェック中の紙」＝「次の紙」に設定される（ステップＳ３８）。そして、「トレイｎ状態」が参照され、「トレイｎ状態」＝「計算未完了」であるか否かが判別される（ステップＳ３９）。「トレイｎ状態」＝「計算未完了」であると判別された場合（ステップＳ３９；ＹＥＳ）、ステップＳ３２に移行される。ステップＳ３３又はステップＳ４０で「トレイｎ状態」が「計算完了」になるまで、ステップＳ３９；ＹＥＳとなる。
【００９４】
ステップＳ３９において、「トレイｎ状態」＝「計算未完了」でないと判別された場合（ステップＳ３９；ＮＯ）、トレイｎ給紙までの計算処理は終了され、次のトレイにおけるトレイｎ給紙までの計算処理が実行される。例えば、トレイ１給紙までの計算処理が終了されると、トレイ２給紙までの計算処理即ち、図１４のステップＳ２２が実行される。
【００９５】
ステップＳ３７において、次に給紙する紙がないと判別された場合（ステップＳ３７；ＮＯ）、「トレイｎ状態」＝「計算未完了」に設定される（ステップＳ４０）。そして、「トレイｎ枚数」＝「未定」に設定される（ステップＳ４１）。
【００９６】
例えば、ジョブデータ内の全ての給紙すべき用紙をチェックしても給紙トレイから給紙する用紙が見つからない場合、ステップＳ４１にて給紙トレイｎ枚数は「未定」に設定される。
【００９７】
ステップＳ４１の実行後、ステップＳ３９に移行される。例えば、ステップＳ４０、Ｓ４１を経由してステップＳ３９に移行された場合、「トレイｎ状態」＝「計算完了」である。この場合、ステップＳ３９；ＮＯとなる。
【００９８】
以上、本実施の形態によれば、給紙トレイ２２ａ〜２２ｆから次回の用紙を給紙する給紙タイミングを計算し、当該計算された給紙タイミングをＬＣＤ９１に表示する。これにより、ユーザは、給紙タイミングを参照して、適切なタイミングで用紙を補給することができるので、装置停止によるダウンタイムの発生を防ぎ、ジョブの実行を効率的に行うことができる。  
【００９９】
また、給紙タイミングとして、例えば、給紙トレイ２２ｂ（トレイ２）から次回給紙されるまでに要する他の給紙トレイ２２ａ（トレイ１）、給紙トレイ２２ｃ（トレイ３）、給紙トレイ２２ｄ（トレイ４）、給紙トレイ２２ｅ（トレイ５）から給紙される用紙Ｐの枚数の合計を計算し、当該計算された用紙Ｐの枚数をＬＣＤ９１に表示することができる。
【０１００】
また、給紙タイミングとして、例えば、給紙トレイ２２ｂ（トレイ２）から次回給紙されるまでに要する時間を計算し、当該計算された時間をＬＣＤ９１に表示することができる。
【０１０１】
また、用紙Ｐの残量をＬＣＤ９１に表示することができるので、ユーザは、用紙Ｐの残量を把握することができる。
【０１０２】
なお、上記実施の形態における記述は、本発明に係る画像形成装置１の一例であり、これに限定されるものではない。
【０１０３】
例えば、上記実施の形態では、表示画面Ｇ６において、使用される給紙トレイの給紙表示部Ｇ６７に表示される例を説明したがこれに限定されるものではない。例えば、使用されない給紙トレイがある場合は、給紙表示部Ｇ６７には、「未定」と表示することとしてもよい。
【０１０４】
また、上記実施の形態では、ジョブをプリンタジョブとして説明したが、これに限定されるものではない。例えば、ジョブをプリンタジョブ以外のジョブ（例えば、コピージョブ、ＦＡＸ出力ジョブ）としてもよい。
【０１０５】
また、上記実施の形態では、プリンタジョブのページ単位設定で用紙Ｐを複数部画像形成する際に給紙タイミングをＬＣＤ９１に表示することとしたがこれに限定されるものではない。例えば、ジョブをＲＡＭ１３０に複数予約登録し、当該予約されたジョブを実行する際においても同様に適用することとしてもよい。
【０１０６】
その他、上記実施の形態における画像形成装置の細部構成及び詳細動作に関しても、本発明の趣旨を逸脱しない範囲で適宜変更可能である。
【図面の簡単な説明】
【０１０７】
【図１】本発明に係る画像形成装置の概略構成を示した図である。
【図２】画像形成装置の内部構成を示した図である。
【図３】ジョブデータの一例を示す
【図４】原稿のプリントジョブを実行する際に、ＰＣの表示部に表示される画面を示した図である。
【図５】プリントジョブの各種設定を行う際にＰＣの表示部に表示される画面を示した図である。
【図６】用紙Ｐをページ単位で設定する際、ＰＣの表示部に表示される画面を示した図である。
【図７】ページ単位の詳細設定をする際、ＰＣの表示部に表示される画面を示した図である。
【図８】ページ単位設定の内容を表示する画面を示した図である。
【図９】ページ単位設定の例を示した図である。
【図１０】プリントジョブの実行中にＬＣＤに表示される画面を示した図である。
【図１１】プリントジョブの情報及び給紙表示部に表示される情報を示した図である。
【図１２】プリントジョブの情報及び給紙表示部に表示される情報を示した図である。
【図１３】プリント処理を示すフローチャートである。
【図１４】各トレイの給紙までの枚数計算処理を示すフローチャートである。
【図１５】トレイｎ給紙までの枚数計算処理を示すフローチャートである。
【図１６】用紙の情報を表示する表示画面を示した図である。
【図１７】プリントジョブの設定情報を示した図である。
【符号の説明】
【０１０８】
１     画像形成装置
１ａ   本体制御部
１ｂ   プリンタコントローラ
２     本体部
２ａ   本体制御部
３     後処理部
１０   画像読取部
１１   自動原稿送り部
１１ｂ コントローラ制御部
１２   読取部
１２ａ イメージセンサ
１３ｂ 画像メモリ
２０   プリント部
２１   画像形成部
２１ａ 転写装置
２１ｂ 定着部
２２   格納部
２２ａ，２２ｂ，２２ｃ，２２ｄ，２２ｅ，２２ｆ   給紙トレイ
２２１ａ、２２１ｂ，２２１ｃ，２２１ｄ，２２１ｅ，２２１ｆ  給紙部
２３   給紙搬送部
２３ａ 搬送路切換板
２３ｂ 自動両面給紙搬送路
２４   搬出部
２４ａ 排紙ローラ
２４ｂ 搬出口
９０   操作表示部
１００ 画像制御部
１０１ 表示画面
１１０ 制御部
１２０ 不揮発メモリ
１３０ ＲＡＭ
１４０ 読込処理部
１７０ 画像メモリ
１７１ 圧縮メモリ
１９０ 書込処理部
２００ 読取制御部
２００ 画像読取制御部
３００ プリント制御部
４００ 後処理制御部
５００  ＰＣ
５０１ 表示部
９００ 操作表示制御部
【図１】
2009113281.tif 000003
【図２】
2009113281.tif 000004
【図３】
2009113281.tif 000005
【図４】
2009113281.tif 000006
【図５】
2009113281.tif 000007
【図６】
2009113281.tif 000008
【図７】
2009113281.tif 000009
【図８】
2009113281.tif 000010
【図９】
2009113281.tif 000011
【図１０】
2009113281.tif 000012
【図１１】
2009113281.tif 000013
【図１２】
2009113281.tif 000014
【図１３】
2009113281.tif 000015
【図１４】
2009113281.tif 000016
【図１５】
2009113281.tif 000017
【図１６】
2009113281.tif 000018
【図１７】
2009113281.tif 000019